(57)【特許請求の範囲】
【請求項１】
所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋の端部をコンクリート板の所定箇所において長さ方向でかつ上下に重ね合わせて配筋し、前記背の高いトラス筋間に、長辺方向の長さが背の高いトラス筋の配筋間隔以下である軽量型枠を適宜間隔をもって配設したことを特徴とするプレキャストコンクリート板。
【請求項２】
所定の大きさのコンクリート板を所定のエリアに分割し、その一方のエリアに背の高いトラス筋をその上部がコンクリート板の一面から突出するように適宜間隔ごとに配筋するとともに、これらのトラス筋間に軽量型枠を適宜間隔で配設し、他方のエリアには背の低いトラス筋をその上部がコンクリート板の一面から突出するように適宜間隔ごとに配筋し、前記背の高いトラス筋と背の低いトラス筋の端部をコンクリート板の所定箇所において長さ方向でかつ上下に重ね合わせて配筋した複合プレキャストコンクリート板と、
トラス筋をその上部がコンクリート板の一面から突出するように適宜間隔ごとに配筋し、これらのトラス筋間に軽量型枠を適宜間隔で配設した中空プレキャストコンクリート板とを梁間に複数配設し、
上記複合プレキャストコンクリート板における背の低いトラス筋が配筋されたエリアと中空プレキャストコンクリート板との接合部には、前記軽量型枠よりも幅狭な小型軽量型枠が配設され、該小型軽量型枠が配設された箇所には、背の高いトラスに沿ってこれの半分の長さの補強用トラス筋が配筋され、
前記軽量型枠を配設した部分と配設しない部分との間に段差部を形成してトップコンクリートが打設されてなることを特徴とするコンクリートスラブ。
【請求項３】
請求項２に記載のコンクリートスラブを備えたことを特徴とする構築物。
【発明の詳細な説明】
【０００１】
【発明の属する技術分野】
本発明はプレキャストコンクリート板、コンクリートスラブおよび構築物に関するものである。
【０００２】
【従来の技術】
鉄筋コンクリート造などの建物は、ほとんどがプレキャストコンクリート板によってスラブを構築している。このコンクリートスラブに各種配管のための段差部を構築するには、図８に示すように、一方のプレキャストコンクリート板３０を下側にずらして段差部３１を形成し、この段差部３１を補強するためにあばら筋３２を配筋したり、あるいは床のスラブ筋３３をベンド筋にしたりしていた。
【０００３】
【発明が解決しようとする課題】
しかし、上記のような段差部における配筋は複雑であるため、現場における鉄筋加工や施工に大変な手間がかかって、作業効率が悪かった。
【０００４】
本発明はこれらの問題に鑑みてなされたものであり、その目的は、コンクリートスラブに段差部を形成する際に、現場における鉄筋加工をなくすとともに、現場施工を容易にして作業効率の向上を図ることである。
【０００５】
【課題を解決するための手段】
以上の課題を解決するための手段は、請求項１の発明が、所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋の端部をコンクリート板の所定箇所において長さ方向でかつ上下に重ね合わせて配筋し、前記背の高いトラス筋間に、長辺方向の長さが背の高いトラス筋の配筋間隔以下である軽量型枠を適宜間隔をもって配設したことを特徴とする。
またコンクリートスラブが、所定の大きさのコンクリート板を所定のエリアに分割し、その一方のエリアに背の高いトラス筋をその上部がコンクリート板の一面から突出するように適宜間隔ごとに配筋するとともに、これらのトラス筋間に軽量型枠を適宜間隔で配設し、他方のエリアには背の低いトラス筋をその上部がコンクリート板の一面から突出するように適宜間隔ごとに配筋し、前記背の高いトラス筋と背の低いトラス筋の端部をコンクリート板の所定箇所において長さ方向でかつ上下に重ね合わせて配筋した複合プレキャストコンクリート板と、トラス筋をその上部がコンクリート板の一面から突出するように適宜間隔ごとに配筋し、これらのトラス筋間に軽量型枠を適宜間隔で配設した中空プレキャストコンクリート板とを梁間に複数配設し、上記複合プレキャストコンクリート板における背の低いトラス筋が配筋されたエリアと中空プレキャストコンクリート板との接合部には、前記軽量型枠よりも幅狭な小型軽量型枠が配設され、該小型軽量型枠が配設された箇所には、背の高いトラスに沿ってこれの半分の長さの補強用トラス筋が配筋され、前記軽量型枠を配設した部分と配設しない部分との間に段差部を形成してトップコンクリートを打設したことを特徴とする。
また構築物が、請求項２に記載のコンクリートスラブを備えたことを特徴とする。
【０００６】
プレキャストコンクリート板においては、背の高いトラス筋と背の低いトラス筋の高低差により、これらのエリア間に段差部が形成される。また背の高いトラス筋と背の低いトラス筋の端部が長さ方向に重ね配筋されたことにより、段差部における強度が十分に大きくなる。さらに、背の高いトラス筋間に配設した軽量型枠を、長辺方向の長さが背の高いトラス筋の配筋間隔以下としたので、前記トラス筋と直交した鉄筋を配筋する間隙部が多く形成される。
【０００７】
またコンクリートスラブにおいては、複合プレキャストコンクリート板と隣接した中空プレキャストコンクリート板には軽量型枠の間隙部が多く形成されるので、トラス筋と直交した鉄筋を多く配筋することができる。
【０００８】
また、トラス筋と直交した鉄筋が多く配筋されたコンクリートスラブを有する構築物となる。
【０００９】
【発明の実施の形態】
以下、本発明のプレキャストコンクリート板、コンクリートスラブおよびその構築物の実施の形態を図面に基づいて説明する。図１はプレキャストコンクリート板の平面図、図２の（１）は図１のＡ−Ａ線断面図、同図の（２）は同Ｂ−Ｂ線断面図である。
【００１０】
図１はプレキャストコンクリート板（以下、薄肉ＰＣ板という）１を示し、平面矩形のコンクリート板２と、トラス筋３、４から構成されている。
【００１１】
前記薄肉ＰＣ板１は所定の大きさおよび所定の厚さを備えたものであり、これを二つのエリア５、６、すなわち二つの領域に分割し、そのうちの一方のエリア５には３本の背の高いトラス筋３が、コンクリート板２の長辺方向に沿って適宜間隔ごとに配筋されている。
【００１２】
このトラス筋３は、三角形状に配置された一本の上弦筋（トップ筋）７と二本の下弦筋（下端筋）８とが波形のラチス筋９で接合された三角トラスであり、前記下弦筋８がコンクリート板２内に埋設されて曲げ補強筋１０に接合されているとともに、上部がコンクリート板２の上面から突出している。
【００１３】
これら背の高いトラス筋３間には、軽量型枠１１が適宜間隔ごとに配設されている。この軽量型枠１１は長辺方向の長さが背の高いトラス筋３の配筋間隔以下であり、高さが背の高いトラス筋３よりも低い。前記背の高いトラス筋３の配筋間隔とは、図２の（２）におけるａの間隔をいい、軽量型枠１１の長辺方向の長さはこれと同じか、あるいはこれよりも短い。
【００１４】
軽量型枠１１は打設されるコンクリートによって圧壊しないものが用いられ、例えば、発泡ポリスチレンのようなビーズ型内発泡成形による合成樹脂発泡成形品が使用される。しかし、この他にもエチレン系樹脂、プロピレン系樹脂等からなる発泡成形品等を使用することも可能である。なお、軽量型枠１１の材質としては、コンクリートに対する軽量部材であれば特に限定するものではなく、中空鋼管にすることもできる。
【００１５】
一方、前記エリア５、６のうちの他方のエリア６には、３本の背の低いトラス筋４が長辺方向に沿って適宜間隔ごとに配筋され、その端部が背の高いトラス筋３の端部に長さ方向で重ね配筋されている。この重ね配筋は少なくともラチス筋９の２山以上を重ね合わせている。この重ね合わせはトラス筋３、４同士を横に添わせる以外に、図１の（２）に示すように、上下に重ね合わせることもできる。このことにより重ね合わせ部における強度をさらに強めることができるとともに、トラス筋３、４同士を互いにずらして配筋する手間も省ける。
【００１６】
また背の低いトラス筋４は、背の高いトラス筋３と同一構成であるが、背の高いトラス筋３の半分程度の高さしかなく、前記と同様に下端筋８がコンクリート板２内に埋設されて曲げ補強筋１０に接合されているとともに、上部がコンクリート板２の上面から突出している。なお、背の低いトラス筋４間には軽量型枠１１が配設されていない。
【００１７】
これら背の高いトラス筋３と背の低いトラス筋４の高さは、段差の大きさに応じて決定され、例えば、段差を大きくするには、背の高いトラス筋３をさらに高くする一方、背の低いトラス筋４をさらに低くする。
【００１８】
また、背の高いトラス筋３と背の低いトラス筋４の長さも、段差部の大きさに応じて決定され、例えば、面積の大きな段差部を構築する場合は、背の低いトラス筋４をさらに長くする一方、背の高いトラス筋３をさらに短くする。また端部の重ね配筋の重ね長さにより段差部における強度が自在に調節できる。
【００１９】
次に、複合プレキャストコンクリート板と、中空プレキャストコンクリート板とを使用したコンクリートスラブを、図３〜図５に基づいて説明する。前記複合プレキャストコンクリートＰＣ板１５は、図１の薄肉ＰＣ板１と同じ構成であるが、本実施の形態においては符号を違えて説明する。すなわち、複合プレキャストコンクリート板１５とは、図３および図５に示すように、背の高いトラス筋１８と背の低いトラス筋２３との間に、それぞれ軽量型枠２０を適宜間隔ごとに配設した薄肉ＰＣ板をいう（以下、複合薄肉ＰＣ板という）。一方、中空プレキャストコンクリート板１４とは、図４に示すような背の高いトラス筋１８間に軽量型枠２０が適宜間隔ごとに配設された薄肉ＰＣ板（以下、中空薄肉ＰＣ板という）をいう。
【００２０】
コンクリートスラブ１２は、図３に示すように、長尺梁１３ａと短尺梁１３ｂとの間に設置された中空薄肉ＰＣ板１４と、複合薄肉ＰＣ板１５と、これらの上に配筋されたスラブ上端筋１６、およびトップコンクリート１７から構成されている。前記の複合薄肉ＰＣ板１５は中央部に２枚並んで配設され、これらの両側に中空薄肉ＰＣ板１４が配設されている。
【００２１】
中空薄肉ＰＣ板１４には、図４に示すように５本の背の高いトラス筋１８がコンクリート板１９の長辺方向に沿って適宜間隔ごとに配筋されている。これらの背の高いトラス筋１８の下部はコンクリート板１９に埋設されるとともに、上部がコンクリート板１９の上面から突出し、この突出した背の高いトラス筋１８間に８つの軽量型枠２０が４列にわたって配設されている。
【００２２】
前記軽量型枠２０は長辺方向の長さが背の高いトラス筋１８の配筋間隔以下、すなわち図４のｂの間隔と同じか、あるいはそれよりも小さい。
【００２３】
一方、この中空薄肉ＰＣ板１４と隣接した複合薄肉ＰＣ板１５には、二分割したエリアの一方２１に背の高いトラス筋１８が配筋されるとともに、他方のエリア２２には、背の低いトラス筋２３が配筋され、これらの端部が長さ方向に重ね配筋されている。この重ね配筋は少なくともラチス筋２４の２山以上が重ね合わされているが、これ以上の重ね合わせもできる。
【００２４】
また、背の高いトラス筋１８間には軽量型枠２０が、前記中空薄肉ＰＣ板１４と同じ間隔で配設され、これらの軽量型枠２０間には連結筋２６が横方向、すなわち中空薄肉ＰＣ板１４から複合薄肉ＰＣ板１５にかけて配筋されることによりコンクリートスラブ１２の荷重が長尺梁１３ａ方向または短尺梁１３ｂ方向に沿って流れる。
【００２５】
また、複合薄肉ＰＣ板１５における背の低いトラス筋２３が配筋されたエリア２２と中空薄肉ＰＣ板１４との接合部には、前記軽量型枠よりも幅狭な小型軽量型枠２５が適宜間隔をもって配設されている。
【００２６】
これらの軽量型枠２０および小型軽量型枠２５が配設されたエリア２１と、これらが配設されていないエリア２２との間には、図５に示すように、背の高いトラス筋１８と背の低いトラス筋２３との高低差、すなわち段差があり、これをもってトップコンクリート１７が打設されて段差部２７を形成せしめている。なお中空薄肉ＰＣ板１４の小型軽量型枠２５が配設された箇所には、背の高いトラス筋１８の半分程度の長さの補強用トラス筋１８ａが配筋されている。
【００２７】
上記のように、中空薄肉ＰＣ板１４と複合薄肉ＰＣ板１５に、長辺方向の長さがトラス筋１８の配筋間隔以下の軽量型枠２０と小型軽量型枠２５とを配置すると、背の高いトラス筋１８との直交方向に連結筋２６を配筋して格子配筋とすることができるので、接合部の強度が十分に確保できる。また連結筋２６を適宜長さの三角トラスにすると強度がさらに大きくなり、特に段差部２７における強度を十分に確保できる。
【００２８】
また、中空薄肉ＰＣ板１４と複合薄肉ＰＣ板１５との接合部および、これらの薄肉ＰＣ板１４、１５と長尺梁１３ａおよび短尺梁１３ｂとの接合部にも連結筋２６がそれぞれ配筋されている。
【００２９】
図６は、複合薄肉ＰＣ板１５と、これに隣接する中空薄肉ＰＣ板１４に大型の軽量型枠２８を配設するとともに、これよりも小さな軽量型枠２０を配設した中空薄肉ＰＣ板１４を、短尺梁１３ｂ側に配設したコンクリートスラブ１２であり、前記軽量型枠２０の長辺方向の長さが背の高いトラス筋１８の配筋間隔以下である。このコンクリートスラブ１２は、大きなせん断力が作用する周辺部において荷重を長尺梁１３ａ方向および短尺梁１３ｂ方向に沿って流すことができる。すなわち、上記のように軽量型枠２０を小割にして連結筋２６を配筋したことにより、中空薄肉ＰＣ板１４の端部に作用する大きなせん断力に対応することができる。また大型の軽量型枠２８を配設した中空薄肉ＰＣ板１４はせん断力が少ないので隔壁などを間引くことができる。
【００３０】
図７は、図６とほとんど同一の構成であり、大型の軽量型枠２８を配設した中空薄肉ＰＣ板１４の一部、すなわち短尺梁１３ｂ側に配設した中空薄肉ＰＣ板１４との接合部に小割の軽量型枠２０を配設したコンクリートスラブ１２である。このようなコンクリートスラブ１２は、大きなせん断力が作用する周辺部において荷重を長尺梁１３ａ方向および短尺梁１３ｂ方向に沿って流すことができるとともに、複合薄肉ＰＣ板１５と中空薄肉ＰＣ板１４との接合部の強度を十分に確保することができる。
【００３１】
上記のコンクリートスラブ１２を使用して鉄骨造、鉄筋コンクリート造、鉄骨鉄筋コンクリート造の構築物を構築すると、全体としてバランスのよい配筋のコンクリートスラブ１２を備えた構築物となる（図示せず）。
【００３２】
【発明の効果】
所定の大きさのコンクリート板を所定のエリアに分割し、その一方のエリアに背の高いトラス筋を配筋するとともに、他方のエリアには背の低いトラス筋を配筋し、前記背の高いトラス筋と背の低いトラス筋の端部をコンクリート板の所定箇所で長さ方向に重ね配筋したことにより、現場などにおいてトップコンクリートを打設するだけで段差部のあるコンクリートスラブが簡単に形成できる。
【００３３】
背の高いトラス筋間に配設した軽量型枠を、長辺方向の長さが背の高いトラス筋の配筋間隔以下としたので、前記トラス筋と直交する鉄筋を配筋する間隙部が多く形成できる。
【００３４】
背の高いトラス筋間に、長辺方向の長さが背の高いトラス筋の配筋間隔以下とした軽量型枠を配設したことにより、これらの軽量型枠間に連結筋を配筋すると、格子状の配筋となるのでコンクリートスラブの荷重を長尺梁方向および短尺梁方向に流すことができて、強度に応じた補強ができる。
【００３５】
背の高いトラス筋と背の低いトラス筋の端部を、コンクリート板の所定箇所で長さ方向に重ね配筋したことにより、コンクリートスラブにおける段差部の強度を十分に確保できる。
【００３６】
現場における鉄筋加工や複雑な配筋作業をすることなく、簡単な現場施工により段差部のあるコンクリートスラブが構築できる。
【００３７】
中空薄肉ＰＣ板と複合薄肉ＰＣ板とを梁間に設置し、その上にトップコンクリートを打設するだけで段差部のあるコンクリートスラブが構築できるので、施工性を高め、かつ作業効率の向上を図ることができる。
【００３８】
コンクリートスラブにおける段差部の強度を簡単な配筋で高めることができる。また中空薄肉ＰＣ板の端部に作用する大きなせん断力に対応する（耐える）ことができる。また大きなせん断力が作用する周辺部において荷重を長尺梁方向および短尺梁方向に沿って流すことができるとともに、複合薄肉ＰＣ板と中空薄肉ＰＣ板との接合部の強度を十分に確保することができる。
【００３９】
全体としてバランスのよい配筋のコンクリートスラブを備えた構築物が提供できる。
【図面の簡単な説明】
【図１】（１）は薄肉ＰＣ板の平面図、（２）は重ね配筋の断面図である。
【図２】（１）は図１のＡ−Ａ線断面図、（２）は同Ｂ−Ｂ線断面図である。
【図３】コンクリートスラブの一部切欠平面図である。
【図４】中空薄肉ＰＣ板の平面図である。
【図５】（１）は図３のＣ−Ｃ線断面図、（２）は同Ｄ−Ｄ線断面図、（３）はコンクリートスラブの段差部の断面図である。
【図６】コンクリートスラブの一部切欠平面図である。
【図７】コンクリートスラブの一部切欠平面図である。
【図８】（１）〜（３）は従来のコンクリートスラブの段差部の断面図である。
【符号の説明】
１  薄肉ＰＣ板
２、１９  コンクリート板
３、１８  背の高いトラス筋
４、２３  背の低いトラス筋
５、２１  一方のエリア
６、２２  他方のエリア
１１、２０  軽量型枠
１２  コンクリートスラブ
１４  中空薄肉ＰＣ板
１５  複合薄肉ＰＣ板
１７  トップコンクリート
２５  小型軽量型枠
２６  連結筋
２７  段差部
２８  大型の軽量型枠
【図１】
0003751726.tif 000002
【図２】
0003751726.tif 000003
【図３】
0003751726.tif 000004
【図４】
0003751726.tif 000005
【図５】
0003751726.tif 000006
【図６】
0003751726.tif 000007
【図７】
0003751726.tif 000008
【図８】
0003751726.tif 000009